(57)【要約】【課題】  ヘッドホン装置において、ケーブル６が衣類や靴等に触れたり、また、擦れることによって生じるタッチノイズを低減することができるヘッドホン装置を提供する。【解決手段】  前方に開口する凹部を備え下方に切欠きを備えるハウジングと、ハウジングの凹部に圧入され、前方に開口する凹部を備え、下方に当該凹部に貫通する孔を備える突出部を備える弾性部と、ハウジングの前面に固着する前部と、湾曲状に延在し下方に貫通する第１の孔と、第１の孔に連通し上方に開口する第２の孔を備え、第２の孔が突出部に固着し突出部に保持される部材と、一端に入力端子を備えるケーブルと、前部に固着しケーブルのリード線に電気的に接続し入力端子が入力した信号を放音する振動板を有するドライバーユニットとを備え、第１の孔は、突出部の孔と連通するように配設され、突出部の孔及び部材の第１の孔の内壁は、ケーブルの表面に密着している。【選択図】      図１
2011077763.tif 000002
【特許請求の範囲】
【請求項１】
ケーブルを介して入力端子に入力されたオーディオ信号を出力するヘッドホン装置において、
円筒型を成し前方に開口する凹部を備え下方に切欠きを備えるハウジングと、
前記ハウジングの前記凹部に圧入され、前方に開口する凹部を備え、下方に当該凹部に貫通する孔を備える突出部を備える弾性部と、
前記ハウジングの前面に固着し前後に貫通する孔を備える前部と、
弾性体で形成され湾曲状に延在し下方に貫通する第１の孔と、当該第１の孔に連通し上方に開口する第２の孔を備え、当該第２の孔の内壁が前記突出部の外周面に固着することにより前記突出部に保持される部材と、
内部にリード線を備え、一端に入力端子を備えるケーブルと、
前記前部に固着し前記ケーブルの前記リード線に電気的に接続し前記入力端子が入力したオーディオ信号を放音する振動板を有するドライバーユニットとを備え、
前記第１の孔は、前記突出部の前記孔と連通するように配設され、
前記突出部の前記孔及び前記部材の前記第１の孔の内壁は、前記ケーブルの表面に密着していることを特徴とするヘッドホン装置。
【請求項２】
ケーブルを介して入力端子に入力されたオーディオ信号を出力するヘッドホン装置において、
円筒型を成し前方に開口する凹部を備え下方に孔を備えるハウジングと、
前記ハウジングの前記凹部に圧入され、前方に開口する凹部を備え、下方に当該凹部に貫通する孔を備える突出部を備える弾性部と、
前記ハウジングの前面に固着し前後に貫通する孔を備える前部と、
弾性体で形成され湾曲状に延在し下方に貫通する第１の孔と、当該第１の孔に連通し上方に開口する第２の孔を備え、当該第２の孔の内壁が前記突出部の外周面に固着することにより前記突出部に保持される部材と、
内部にリード線を備え、一端に入力端子を備えるケーブルと、
前記前部に固着し前記ケーブルの前記リード線に電気的に接続し前記入力端子が入力したオーディオ信号を放音する振動板を有するドライバーユニットとを備え、
前記第１の孔は、前記突出部の前記孔と連通するように配設され、
前記突出部の前記孔及び前記部材の前記第１の孔の内壁は、前記ケーブルの表面に密着していることを特徴とするヘッドホン装置。
【請求項３】
請求項１または２記載のヘッドホン装置において、
前記ケーブルは、前記入力端子を備える一端の他端に前記突出部の前記孔及び前記部材の前記第１の孔を介して前記弾性部の内部で形成する結び目を備え、
前記弾性部の前記凹部の内壁は、前記結び目の表面と密着していることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている（例えば、特許文献１参照）。
【０００３】
図４は、従来のヘッドホン装置を示す概略構成図である。
ヘッドホン装置１００は、それぞれ２つのハウジング２００、前部３及びイヤーパッド４を備え、それぞれのハウジング２００は、ケーブル６によって入力端子８に接続される。ケーブル６は、内部に後述するリード線を備える。入力端子８は、再生装置１０の出力端子１１に接続される。再生装置１０は、オーディオ信号を再生し、再生したオーディオ信号を出力端子１１から出力する。
【０００４】
図５は、ヘッドホン装置１００を示す断面図である。
図５に示すヘッドホン装置１００においては、右方向をヘッドホン装置１００の前方とし、上方向をヘッドホン装置１００の上方とする。
【０００５】
ヘッドホン装置１００は、図４で説明した構成の他、ドライバーユニット７及びブッシュ５００を備える。
ハウジング２００は、円筒型を形成し、前方に開口する凹部２０１を備え、下方に貫通する孔２１０を備える。ブッシュ５００は、上下に貫通する孔を備えたゴム部材等の弾性体から成り、外周が孔２１０の内壁に固定される。ケーブル６は、一端がブッシュ５００を介してハウジング２００の凹部２０１の内部に挿入され、この凹部２０１の内部で結び目６０１を形成する。ケーブル６は、この結び目６０１によってブッシュ５００から外部に脱落しないように成されている。ハウジング２００の凹部２０１の内部で結び目６０１が形成されたケーブル６の一端からは、リード線６０２が突出した状態となる。
【０００６】
前部３は、前後に貫通する孔３０４を備えた円盤型を形成し、後方に開口する凹部３０１を備え、前方に円筒型を形成した凸部３０２を備える。凸部３０２は、外周の中央部分に溝部３０３を備える。前部３は、後面がハウジング２００の前面に接着剤等により固着される。ドライバーユニット７は、図示しない振動板を備え、ケーブル６のリード線６０２に電気的に接続される。ドライバーユニット７は、前部３の凹部３０１の裏面に接着剤等により固着される。
【０００７】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が前部３の溝部３０３にはめ込まれることによって前部３の前方に保持された状態となる。
【０００８】
図４及び図５に示すように、ヘッドホン装置１００は、再生装置１０の出力端子１１から出力されるオーディオ信号を入力端子８によって入力し、入力端子８から入力したオーディオ信号をケーブル６を介してドライバーユニット７から放音する。ヘッドホン装置１００の使用者は、イヤーパッド４を耳にはめ込み、例えば、洋服のポケット等に再生装置１０を入れた状態で、再生装置１０からオーディオ信号を再生させる。このことにより、再生装置１０が再生したオーディオ信号が入力端子８及びケーブル６を介してドライバーユニット７によって放音され、この放音されたオーディオ信号が前部３の孔３０４を介してイヤーパッド４の孔４０１の内部に伝達する。これにより、イヤーパッド４を装着した使用者の耳にオーディオ信号が伝達し、使用者は、ヘッドホン装置１００から出力されるオーディオ信号を聴取することができる。
【先行技術文献】
【特許文献】
【０００９】
【特許文献１】特開平８−０９８２９０号公報
【発明の概要】
【発明が解決しようとする課題】
【００１０】
図６は、ヘッドホン装置１００を示す断面図である。
図６に示すヘッドホン装置１００においては、右方向をヘッドホン装置１００の前方とし、上方向をヘッドホン装置１００の上方とする。
【００１１】
前述したように、ヘッドホン装置１００の使用者が、例えば、洋服のポケット等に再生装置１０を入れ、ヘッドホン装置１００のイヤーパッド４を耳に装着した状態で、ヘッドホン装置１００から出力されるオーディオ信号を聴取している場合、ケーブル６が衣類や靴等に接触したり、また、擦れたりすることがある。ケーブル６が衣類や靴等に接触したり擦れたりすると、ケーブル６に振動が発生し、この振動が結び目６０１にも伝達して、リード線６０２を振動させる。また、ケーブル６に生じた振動は、ブッシュ５００や結び目６０１を介してハウジング２００にも伝達する。ハウジング２００に伝達した振動は、前部３にも伝達し、前部３に固着されたドライバーユニット７にも伝達する。このように、リード線６０２及びドライバーユニット７伝達された振動は、ドライバーユニット７に伝達し、この振動によってタッチノイズが生じ、使用者の耳には、オーディオ信号に混じってタッチノイズが伝達されることとなる。
【００１２】
このように、ヘッドホン装置１００によって再生装置１０が再生したオーディオ信号を聴取する場合に、ケーブル６が衣類や靴等に触れたり、また、擦れることによってタッチノイズが生じると、聴取するオーディオ信号の音質が著しく低下してしまい、使用者に不快感を与えることになる。
【００１３】
本発明は、ケーブルを介して再生装置と電気的に接続し、再生装置から出力されたオーディオ信号を出力するヘッドホン装置において、ケーブル６が衣類や靴等に触れたり、また、擦れることによって生じるタッチノイズを低減することができるヘッドホン装置を提供することを目的とする。
【課題を解決するための手段】
【００１４】
本願の請求項１記載の発明は、ケーブルを介して入力端子に入力されたオーディオ信号を出力するヘッドホン装置において、円筒型を成し前方に開口する凹部を備え下方に切欠きを備えるハウジングと、前記ハウジングの前記凹部に圧入され、前方に開口する凹部を備え、下方に当該凹部に貫通する孔を備える突出部を備える弾性部と、前記ハウジングの前面に固着し前後に貫通する孔を備える前部と、弾性体で形成され湾曲状に延在し下方に貫通する第１の孔と、当該第１の孔に連通し上方に開口する第２の孔を備え、当該第２の孔の内壁が前記突出部の外周面に固着することにより前記突出部に保持される部材と、内部にリード線を備え、一端に入力端子を備えるケーブルと、前記前部に固着し前記ケーブルの前記リード線に電気的に接続し前記入力端子が入力したオーディオ信号を放音する振動板を有するドライバーユニットとを備え、前記第１の孔は、前記突出部の前記孔と連通するように配設され、前記突出部の前記孔及び前記部材の前記第１の孔の内壁は、前記ケーブルの表面に密着していることを特徴とする。
【００１５】
本願の請求項２記載の発明は、ケーブルを介して入力端子に入力されたオーディオ信号を出力するヘッドホン装置において、円筒型を成し前方に開口する凹部を備え下方に孔を備えるハウジングと、前記ハウジングの前記凹部に圧入され、前方に開口する凹部を備え、下方に当該凹部に貫通する孔を備える突出部を備える弾性部と、前記ハウジングの前面に固着し前後に貫通する孔を備える前部と、弾性体で形成され湾曲状に延在し下方に貫通する第１の孔と、当該第１の孔に連通し上方に開口する第２の孔を備え、当該第２の孔の内壁が前記突出部の外周面に固着することにより前記突出部に保持される部材と、内部にリード線を備え、一端に入力端子を備えるケーブルと、前記前部に固着し前記ケーブルの前記リード線に電気的に接続し前記入力端子が入力したオーディオ信号を放音する振動板を有するドライバーユニットとを備え、前記第１の孔は、前記突出部の前記孔と連通するように配設され、前記突出部の前記孔及び前記部材の前記第１の孔の内壁は、前記ケーブルの表面に密着していることを特徴とする。
【００１６】
本願の請求項３記載の発明は、請求項１または２記載のヘッドホン装置において、前記ケーブルは、前記入力端子を備える一端の他端に前記突出部の前記孔及び前記部材の前記第１の孔を介して前記弾性部の内部で形成する結び目を備え、前記弾性部の前記凹部の内壁は、前記結び目の表面と密着していることを特徴とする。
【発明の効果】
【００１７】
本発明によれば、ケーブルを介して再生装置と電気的に接続し、再生装置から出力されたオーディオ信号を出力するヘッドホン装置において、ケーブル６が衣類や靴等に触れたり、また、擦れることによって生じるタッチノイズを低減することができるヘッドホン装置を提供することができる。
【図面の簡単な説明】
【００１８】
【図１】本発明の一実施例のヘッドホン装置を示す概略構成図。
【図２】本実施例のヘッドホン装置１を示す断面図。
【図３】本実施例のヘッドホン装置１を示す断面図。
【図４】従来のヘッドホン装置を示す概略構成図。
【図５】ヘッドホン装置１００を示す断面図。
【図６】ヘッドホン装置１００を示す断面図。
【発明を実施するための形態】
【００１９】
本発明の実施の形態を図面を参照して説明する。なお、背景技術又は図４〜図６で示した構成要素と同一の部分については同符号を用いる。
【００２０】
図１は、本発明の一実施例のヘッドホン装置を示す概略構成図である。
ヘッドホン装置１は、ハウジング２、前部３、イヤーパッド４、弾性部５、ケーブル６、ドライバーユニット７、入力端子８、部材９ａ及び部材９ｂを備える。入力端子８については、背景技術で説明した構成と同様の構成であるため、説明を省略する。
【００２１】
図２は、本実施例のヘッドホン装置１を示す断面図である。
図２に示すヘッドホン装置１においては、右方向をヘッドホン装置１の前方とし、上方向をヘッドホン装置１の上方とする。
【００２２】
図１及び図２に示すように、ハウジング２は、円筒型を形成し、前方に開口する凹部２０１を備え、下方に切欠き２０２を備える。弾性部５は、ゴム部材等の弾性体から成り、ハウジング２の凹部２０１の内壁と略同一の円筒型を形成する。弾性部５は前方に開口する凹部５０３を備え、下方に円筒型を形成した突出部５０２を備える。突出部５０２は、下方から凹部５０３の内壁に貫通する孔５０４を備える。弾性部５は、ハウジング２の凹部２０１に圧入され、切欠き２０２から突出部５０２が下方に突出した状態となる。
【００２３】
部材９ａ及び９ｂは、ゴム部材等の弾性体から成り、直方体を形成する。部材９ａ及び９ｂは、それぞれ左右対称の形状を成し、対抗する一側面にそれぞれ湾曲状に延在する第１の溝９０１ａ及び第１の溝９０１ｂと、当該第１の溝９０１ａ及び第１の溝９０１ｂに連通する第２の溝９０２ａ及び第２の溝９０２ｂを備える。部材９ａ及び９ｂは、それぞれ前述した溝を備える一側面を接着剤等により貼り合わせることによって、１つの直方体を形成する。部材９ａ及び９ｂは、第１の溝９０１ａと第１の溝９０１ｂが左右対称の形状であって、また、第２の溝９０２ａと第２の溝９０２ｂが左右対称の形状であることから、それぞれの部材を貼り合わせると、第１の溝９０１ａと第１の溝９０１ｂによって、湾曲状に延在し、下方に貫通した第１の孔９０３が形成され、また、第２の溝９０２ａと第２の溝９０２ｂによって、第１の孔９０３に連通し、上方に開口した第２の孔９０４が形成される。第２の孔９０４は、弾性部５の突出部５０２の外径と略同一の内径を形成する。部材９ａ及び９ｂは、弾性部５の突出部５０２が第２の孔９０４に挿入され、接着剤等により固着することにより、弾性部５に保持された状態となる。
【００２４】
ケーブル６は、一端が部材９ａ及び９ｂの第１の孔９０３と突出部５０２の孔５０４を介して弾性部５の凹部５０３の内部に挿入され、この凹部５０３の内部で結び目６０１を形成する。ケーブル６は、この結び目６０１によって弾性部５の内部から下方に脱落しないように成されている。第１の孔９０３及び突出部５０２の孔５０４の内径はそれぞれケーブル６の外径より僅かに大きい。このため、第１の孔９０３及び孔５０４の内壁はケーブル６の表面に密着した状態となる。弾性部５の凹部５０３の内部で結び目６０１が形成されたケーブル６の一端からは、リード線６０２が突出した状態とされる。このとき、弾性部５の凹部５０３は、予め結び目６０１の外径と略同一の内径となるよう設定され、結び目６０１の表面と凹部５０３の内壁が密着した状態となる。
【００２５】
前部３は、前後に貫通する孔３０４を備えた円盤型を形成し、後方に開口する凹部３０１を備え、前方に円筒型を形成した凸部３０２を備える。凸部３０２は、外周の中央部分に溝部３０３を備える。前部３は、後面がハウジング２の前面に接着剤等により固着される。ドライバーユニット７は、図示しない振動板を備え、ケーブル６のリード線６０２に電気的に接続される。ドライバーユニット７は、前部３の凹部３０１の裏面に接着剤等により固着される。
【００２６】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が前部３の溝部３０３にはめ込まれることによって前部３の前方に保持された状態となる。
【００２７】
図１及び図２に示すように、ヘッドホン装置１は、従来例で説明した再生装置の出力端子から出力されるオーディオ信号を入力端子８によって入力し、入力端子８から入力したオーディオ信号をケーブル６を介してドライバーユニット７から放音する。ヘッドホン装置１の使用者は、イヤーパッド４を耳にはめ込み、例えば、洋服のポケット等に再生装置を入れた状態で、再生装置からオーディオ信号を再生させる。このことにより、再生装置が再生したオーディオ信号が入力端子８及びケーブル６を介してドライバーユニット７によって放音され、この放音されたオーディオ信号が前部３の孔３０４を介してイヤーパッド４の孔４０１の内部に伝達する。これにより、イヤーパッド４を装着した使用者の耳にオーディオ信号が伝達し、使用者は、ヘッドホン装置１から出力されるオーディオ信号を聴取することができる。
【００２８】
図３は、本実施例のヘッドホン装置１を示す断面図である。
図３に示すヘッドホン装置１においては、右方向をヘッドホン装置１の前方とし、上方向をヘッドホン装置１の上方とする。
【００２９】
前述したように、ヘッドホン装置１の使用者が、例えば、洋服のポケット等に再生装置を入れ、ヘッドホン装置１を耳に装着した状態で、ヘッドホン装置１から出力されるオーディオ信号を聴取している場合、ケーブル６が衣類や靴等に接触したり、また、擦れたりすると、ケーブル６に振動が発生する。ケーブル６に生じた振動は、上方の結び目６０１にも伝達しようとするが、部材９ａ及び９ｂの第１の孔９０３の内壁がケーブル６の表面に密着し、また、弾性部５の突出部５０２の孔５０４の内壁がケーブル６の表面に密着していることから、部材９ａ及び９ｂと突出部５０２の有する弾性力によって結び目６０１に伝達する振動を減衰させ、振動が結び目６０１に伝達するのを防止する。また、結び目６０１に振動が伝達した場合でも、結び目６０１の表面に弾性部５の凹部５０３の内壁が密着していることから、弾性部５の有する弾性力により、結び目６０１の振動を減衰させ、結び目６０１に生じた振動がハウジング２やリード線６０２に伝達するのを防止する。この結果、ケーブル６に生じた振動が前部３及びリード線６０２を介してドライバーユニット７に伝達することを防止する。
【００３０】
ヘッドホン装置１の使用者は、ヘッドホン装置１から出力されるオーディオ信号を聴取している場合、腕や肩などで不用意にケーブル６を引っ張ってしまうと、ケーブル６に軸方向の張力が生じる。ケーブル６に生じた軸方向の張力は、上方の結び目６０１にも伝達し、結び目６０１を下方に引っ張ろうとするが、部材９ａ及び９ｂの第１の孔９０３が湾曲状に延在していることから、部材９ａ及び９ｂの有する弾性力によって第１の孔９０３が変形し、ケーブル６に生じた張力が結び目６０１に伝達するのを防止する。この結果、ケーブル６に生じた軸方向の張力が結び目６０１に伝達し、この張力によって結び目６０１が下方に引っ張られることにより振動が生じ、この振動がドライバーユニット７に伝達してノイズが発生してしまうことを防止する。
【００３１】
本実施例のヘッドホン装置１は、ケーブル６に振動が発生した場合でも、従来のヘッドホン装置と比較して、２０Ｈｚ〜５００Ｈｚ付近の周波数帯域でタッチノイズを１０ｄＢ以上低減することができる。
【００３２】
以上のように、本実施例のヘッドホン装置１は、ヘッドホン装置１の使用者が、例えば、洋服のポケット等に再生装置を入れ、ヘッドホン装置１のイヤーパッド４を耳に装着した状態でヘッドホン装置１から出力されるオーディオ信号を聴取している場合、ケーブル６が衣類や靴等に接触したり、また、擦れたりしてケーブル６に振動が発生しても、ケーブル６の振動によって生じるタッチノイズを低減することができる。
【００３３】
また、本実施例のヘッドホン装置は、ヘッドホン装置１の使用者が、例えば、ヘッドホン装置１から出力されるオーディオ信号を聴取している場合、腕や肩などで不用意にケーブル６を引っ張ってしまい、ケーブル６に軸方向の張力が生じても、ケーブル６が引っ張られることにより生じるノイズを低減することができる。
【００３４】
本実施例のヘッドホン装置１は、ハウジング２に切欠き２０２を備える構成としたが、切欠きの代わりに孔を備える構成とし、弾性部５をハウジング２に圧入する場合、弾性部５の有する弾性力で突出部５０２を当該孔に挿入するようにしても良い。これにより、ヘッドホン装置１の表面に切欠き２０２が露出しなくなるので、ヘッドホン装置１の概観を良質なものにすることができる。
【００３５】
本実施例のヘッドホン装置１は、弾性部５をハウジング２の凹部２０１の内壁と略同一の円筒型とする構成としたが、弾性部５の弾性力によってハウジング２の凹部２０１に圧入可能な場合は、弾性部５の表面をハウジング２の凹部２０１の内壁よりも多少大きくした構成としても良い。これにより、弾性部５をハウジング２に圧入する場合、更に弾性部５を密着させて圧入することができるので、ケーブル６の振動がドライバーユニット７に伝達するのを更に低減することができる。
【００３６】
本実施例のヘッドホン装置１は、弾性部５の凹部５０３の内部において結び目６０１を形成する構成としたが、例えば、弾性部５の内部に介在するケーブル６の一部分を太くし、また、孔５０４または第１の孔９０３をケーブル６に十分密着させる構成とし、また、ケーブル６を孔５０４または第１の孔９０３に接着してケーブル６が下方に脱落しない構成とし、また、弾性部５または第１の孔９０３とケーブル６とを一体成型する構成とした場合には、結び目６０１を備えない構成としても良い。これにより、結び目６０１を形成する作業が不要となるため、ヘッドホン装置１の製造コストを低減することができる。
【００３７】
本実施例のヘッドホン装置１は、弾性部５の円筒部５０１の形状をハウジング２の凹部２０１の内壁より僅かに小さい円筒型を成す構成としたが、ケーブル６の振動を減衰することが可能であれば部分的に弾性体を有する構成としても良い。これにより、弾性部５の成型に必要なゴム部材を低減させることができるので、ヘッドホン装置１の製造コストを低減させることができる。
【００３８】
本実施例のヘッドホン装置１は、部材９ａと９ｂをそれぞれ貼り合わせて固着する構成としたが、第１の孔９０３及び第２の孔９０４を成型可能であれば、初めから１の直方体で形成しても良い。これにより、部材９ａと９ｂを貼り合わせる作業が不要となるため、ヘッドホン装置１の製造コストを低減することができる。
【００３９】
本実施例のヘッドホン装置１は、部材９ａ及び９ｂの第２の孔９０４に弾性部５の突出部５０２を挿入して固着させる構成としたが、部材９ａ及び９ｂを弾性部５またはハウジング２に固着させることが可能であれば、突出部５０２を備えない構成としても良い。また、孔５０４及び第１の孔９０３を備えることが可能であれば、ハウジング２と部材９ａ及び９ｂを一体で成型しても良い。これにより、部材９ａ及び９ｂを弾性部５に固着させる作業が不要となるため、ヘッドホン装置１の製造コストを低減することができる。
【産業上の利用可能性】
【００４０】
本発明は、ケーブルを介して再生装置と接続し、再生装置から出力されたオーディオ信号を出力するヘッドホン装置に有用に用いることができる。
【符号の説明】
【００４１】
１  ヘッドホン装置、２  ハウジング、２０１  凹部、２０２  切欠き、
３  前部、３０１  凹部、３０２  凸部、３０３  溝部、３０４  孔、
４  イヤーパッド、４０１  孔、４０２  鍔部、
５  弾性部、５０１  円筒部、５０２  突出部、５０３  凹部、５０４  孔、
６  ケーブル、６０１  結び目、６０２  リード線、
７  ドライバーユニット、８  入力端子、
９ａ  部材、９０１ａ  第１の溝、９０２ａ  第２の溝、
９ｂ  部材、９０１ｂ  第１の溝、９０２ｂ  第２の溝、
９０３  第１の孔、９０４  第２の孔、
１０  再生装置、１１  出力端子、
１００  ヘッドホン装置、２００  ハウジング、２１０  孔、５００  ブッシュ
【図１】
2011077763.tif 000003
【図２】
2011077763.tif 000004
【図３】
2011077763.tif 000005
【図４】
2011077763.tif 000006
【図５】
2011077763.tif 000007
【図６】
2011077763.tif 000008